【手続補正書】
【提出日】平成24年2月21日(2012.2.21)
【手続補正１】
【補正対象書類名】特許請求の範囲
【補正対象項目名】全文
【補正方法】変更
【補正の内容】
【特許請求の範囲】
【請求項１】
基礎の立ち上がり部が、
現場打ちによって打設されたコンクリートに断熱材が埋設されるように、
外周側のコンクリート、断熱材、内周側のコンクリートの３つの鉛直方向の層から成形されている
ことを特徴とする外断熱基礎構造。
【請求項２】
基礎の立ち上がり部が、
現場打ちによって打設されたコンクリートに断熱材が埋設されるように、
外周側の外型枠と、内周側の内型枠と、両型枠の間の断熱材と、を立設してコンクリート打設空間を設け、
外側枠と断熱材、断熱材と内型枠、のそれぞれによって形成される２つの空間に、現場打ちによってコンクリートを打設することで、
外周側のコンクリート、断熱材、内周側のコンクリートの３つの鉛直方向の層から成形されている
ことを特徴とする外断熱基礎構造。
【請求項３】
基礎の立ち上がり部が、
現場打ちによって打設されたコンクリートに断熱材が埋設されるように、
外周側の外型枠と、内周側の内型枠と、間隔保持部材を挿通して両型枠の間の所定の位置に保持した断熱材と、を立設してコンクリート打設空間を設け、
外側枠と断熱材、断熱材と内型枠、のそれぞれによって形成される２つの空間に、現場打ちによってコンクリートを打設することで、
外周側のコンクリート、断熱材、内周側のコンクリートの３つの鉛直方向の層から成形されている
ことを特徴とする外断熱基礎構造。
【請求項４】
基礎の立ち上がり部が、
現場打ちによって打設されたコンクリートに断熱材が埋設されるように、
外周側の外型枠と、内周側の内型枠と、両型枠及び断熱材を天端及び底端から挟むようにして両型枠の間の所定の位置に保持した断熱材と、を立設してコンクリート打設空間を設け、
外側枠と断熱材、断熱材と内型枠、のそれぞれによって形成される２つの空間に、現場打ちによってコンクリートを打設することで、
外周側のコンクリート、断熱材、内周側のコンクリートの３つの鉛直方向の層から成形されている
ことを特徴とする外断熱基礎構造。
【請求項５】
基礎の立ち上がり部が、
現場打ちによって打設されたコンクリートに断熱材が埋設されるように、
外周側の外型枠と、内周側の内型枠と、間隔保持部材を挿通して両型枠の間の所定の位置に保持され、外型枠側または内型枠側の両面または片面にコンクリートの側圧に対抗するための補強部材が設けられた断熱材と、を立設してコンクリート打設空間を設け、
外側枠と断熱材、断熱材と内型枠、のそれぞれによって形成される２つの空間に、現場打ちによってコンクリートを打設することで、
外周側のコンクリート、断熱材、内周側のコンクリートの３つの鉛直方向の層から成形されている
ことを特徴とする外断熱基礎構造。
【請求項６】
基礎の立ち上がり部が、
現場打ちによって打設されたコンクリートに断熱材が埋設されるように、
外周側の外型枠と、内周側の内型枠と、両型枠及び断熱材を天端及び底端から挟むようにして両型枠の間の所定の位置に保持され、外型枠側または内型枠側の両面または片面にコンクリートの側圧に対抗するための補強部材が設けられた断熱材と、を立設してコンクリート打設空間を設け、
外側枠と断熱材、断熱材と内型枠、のそれぞれによって形成される２つの空間に、現場打ちによってコンクリートを打設することで、
外周側のコンクリート、断熱材、内周側のコンクリートの３つの鉛直方向の層から成形されている
ことを特徴とする外断熱基礎構造。
【請求項７】
基礎の立ち上がり部分に外型枠及び断熱材を立設し、
外型枠を間隔保持部材の一方の端部に、断熱材を間隔保持部材の所定の位置に、それぞれ留め具で固定して取り付けるとともに、
断熱材の両面または片面に補強部材を配設して断熱材を補強する第１工程と、
断熱材によって仕切られた基礎の内周側に、土間コンクリートを打設する第２工程と、
土間コンクリートが硬化したのち、当該コンクリート上の断熱材より内周側の所定の位置に内型枠を立設し、
間隔保持部材の端部を内型枠に留め具で固定して取り付ける第３工程と、
断熱材によって区分される外型枠と内型枠との間隙部分（２つのコンクリート打設空間）にコンクリートを打設する第４工程と、
によって成形されることを特徴とする外断熱基礎構造。
【請求項８】
基礎の立ち上がり部分に外型枠及び断熱材を立設し、
外型枠を間隔保持部材の一方の端部に、断熱材を間隔保持部材の他方の端部に、それぞれ留め具で固定して取り付けるとともに、
断熱材の両面または片面に補強部材を配設して断熱材を補強する第１工程と、
断熱材によって仕切られた基礎の内周側に、土間コンクリートを打設する第２工程と、
土間コンクリートが硬化したのち、当該コンクリート上の断熱材より内周側の所定の位置に内型枠を立設し、
断熱材を間隔保持部材の一方の端部に、内型枠を間隔保持部材の他方の端部に、それぞれ留め具で固定して取り付ける第３工程と、
断熱材によって区分される外型枠と内型枠との間隙部分（２つのコンクリート打設空間）にコンクリートを打設する第４工程と、
によって成形されることを特徴とする外断熱基礎構造。
【請求項９】
基礎の立ち上がり部分に外型枠、断熱材、内型枠を立設し、
外型枠を間隔保持部材の一方の端部に、断熱材を間隔保持部材の所定の位置に、内型枠を間隔保持部材の他方の端部に、
それぞれ留め具で固定して取り付けるとともに、断熱材の両面または片面に補強部材を配して断熱材を補強する第１工程と、
断熱材によって仕切られた基礎の内周側に、土間コンクリートを打設する第２工程と、
土間コンクリートが硬化したのち、
断熱材によって区分される外型枠と内型枠との間隙部分（２つのコンクリート打設空間）にコンクリートを打設する第３工程と、
によって成形されることを特徴とする外断熱基礎構造。
【請求項１０】
基礎の立ち上がり部分に外型枠、断熱材、内型枠を立設し、
外型枠を間隔保持部材の一方の端部に、断熱材を間隔保持部材の所定の位置に、内型枠を間隔保持部材の他方の端部に、
それぞれ留め具で固定して取り付けるとともに、断熱材の両面または片面に補強部材を配して断熱材を補強する第１工程と、
断熱材によって区分される外型枠と内型枠との間隙部分（２つのコンクリート打設空間）にコンクリートを打設する第２工程と、
によって成形されることを特徴とする外断熱基礎構造。
【請求項１１】
前記の各工程によって施工する
ことを特徴とする請求項７乃至１０のいずれかに記載の外断熱基礎構造の施工方法。
【請求項１２】
前記の外周側のコンクリートの断面幅が２０ｍｍ以上である
ことを特徴とする請求項１乃至１１のいずれかに記載の外断熱基礎構造または外断熱基礎構造の施工方法。
【手続補正２】
【補正対象書類名】明細書
【補正対象項目名】００１７
【補正方法】変更
【補正の内容】
【００１７】
本発明の請求項２は、
前記の基礎の立ち上がり部は、
外周側の外型枠と、内周側の内型枠と、両型枠の間の空間に立設する断熱材と、によって２つのコンクリート打設空間を設け、
当該空間に、現場打ちによってコンクリートを打設することで成形される
ことを特徴とする。
【手続補正３】
【補正対象書類名】明細書
【補正対象項目名】００１８
【補正方法】変更
【補正の内容】
【００１８】
本請求項に係る発明は、基礎の立ち上がり部を、外周側の外型枠と内周側の内型枠の２つの型枠によって成形する。
基礎の立ち上がり部のコンクリートは、２つの型枠と断熱材とによって生じる２つの間隙（コンクリート打設空間）に打設する。
この２つの間隙は、同時にコンクリートを打設しても良いし、一方ずつ打設しても良い。
「同時」とは、同一工程内を意味し、一方の間隙のみに打設した場合であっても、当該コンクリートが硬化する前に、他方の間隙に打設することが可能であることを意味するのであって、必ずしも同時刻であることを意味するものではない。
外型枠と内型枠は、コンクリートが硬化したあとは取り外され、断熱材のみが埋め込まれた状態で基礎構造を構成する。
型枠は、木、鋼板、スチール、合板など、いずれのものも使用できる。
【手続補正４】
【補正対象書類名】明細書
【補正対象項目名】００１９
【補正方法】変更
【補正の内容】
【００１９】
本発明の請求項３は、
前記の断熱材に間隔保持部材を挿通して、外型枠と内型枠との間の所定の位置に断熱材を保持する
ことを特徴とする。
【手続補正５】
【補正対象書類名】明細書
【補正対象項目名】００２１
【補正方法】削除
【補正の内容】
【手続補正６】
【補正対象書類名】明細書
【補正対象項目名】００２３
【補正方法】変更
【補正の内容】
【００２３】
本発明の請求項４は、
前記の断熱材を、外型枠、断熱材、内型枠の天端及び底端から、型枠及び断熱材を挟むようにして、外型枠と内型枠との間の所定の位置に断熱材を保持することを特徴とする。
【手続補正７】
【補正対象書類名】明細書
【補正対象項目名】００２４
【補正方法】変更
【補正の内容】
【００２４】
本請求項に係る発明は、前記の請求項３に係る発明とは異なり、間隔保持部材を、外型枠、断熱材、内型枠の天端及び底端から断熱材を挟持するようにして、所定の位置で断熱材を保持するものである。
本請求項に係る発明は、特に、断熱材及び型枠に、貫通させることが困難なものを用いる場合に有効である。
間隔保持部材は、例えば、板状のセパレーターを用い、外型枠、断熱材、内型枠の天端及び底端から各型枠及び断熱材を挟んで、断熱材を保持する。
また、天端側及び底端側の２つの間隔保持部材の所定の位置に孔を設け、当該孔に棒状のものを指し込んで断熱材を保持しても良い。
【手続補正８】
【補正対象書類名】明細書
【補正対象項目名】００２５
【補正方法】変更
【補正の内容】
【００２５】
本発明の請求項５及び６は、
前記の断熱材は、
外型枠側または内型枠側の、両面または片面に、
コンクリートの側圧に対抗するための補強部材が設けられている
ことを特徴とする。
【手続補正９】
【補正対象書類名】明細書
【補正対象項目名】００２６
【補正方法】変更
【補正の内容】
【００２６】
本請求項に係る発明は、断熱材が打設したコンクリートの側圧に耐え得るように、断熱材に補強部材を設けたものである。
例えば、前記のような発泡樹脂系の断熱材を使用した場合、打設したコンクリートの側圧によって、断熱材が撓んでしまうことが考えられる。
そこで、断熱材に補強部材を設けて、打設したコンクリートの側圧に耐え得るようにしたものである。
補強部材は、例えば、断熱材に添うようにして、鉄筋を配設することが考えられる。
この他、天端側及び底端側の２つの間隔保持部材の所定の位置に設けられた孔に指し込んだ棒状のものでも良い。
この棒状のものが鉄製、鋼製であれば、間隔保持部材としても、補強部材としても利用できる。
棒状の補強部材は、丸棒でも角棒でもいずれでも良い。